(57)【特許請求の範囲】
【請求項１】
レンズの周部に突設された脚部を、バルブハウジングにおける灯室の開口の外周囲に設けられた係合溝に入り込ませてこの係合溝の内部に位置するパッキンに圧接させるように構成してある車両用灯具の水抜き構造であって、
前記係合溝の一部分に、他の部分よりも深い深溝部を設け、前記パッキンに、レンズの前記脚部よりも上側において前記深溝部のパッキンよりもレンズ側に位置するレンズ側溝部分と、底側に位置する底側溝部分とを連通させてレンズ側溝部分から底側溝部分に排水させる排水孔を設け、前記バルブハウジングに、前記深溝部のパッキンよりも底側に位置する前記底側溝部分に連通する水抜き孔を設け、
前記深溝部に、この深溝部をパッキンの前記排水孔に連通する上側溝部分と、前記水抜き孔に連通する下側溝部分とに区画するとともにパッキンを受け止めるリブを設け、このリブに、深溝部の前記上側溝部分と前記下側溝部分とを連通させて上側溝部分から下側溝部分に排水させる流水孔を前記水抜き孔に対して前記係合溝の長手方向に位置ずれする状態で設けてある車両用灯具の水抜き構造。
【請求項２】
前記リブの前記流水孔が、パッキンの前記排水孔に対して前記係合溝の長手方向に位置ずれしている請求項１記載の車両用灯具の水抜き構造。
【発明の詳細な説明】
【０００１】
【発明の属する技術分野】
本発明は、レンズの周部に突設された脚部を、バルブハウジングにおける灯室の開口の外周囲に設けられた係合溝に入り込ませてこの係合溝の内部に位置するパッキンに圧接させるように構成してある車両用灯具の水抜き構造に関する。
【０００２】
【従来の技術】
上記した車両用灯具は、バルブハウジングの灯室をレンズによって閉じるとともにパッキンによってシールするものである。
車両用灯具において、従来、たとえば実開平６−３３３１１号公報や特開平８−１９５１０８号公報に示されるように、レンズの脚部に切り欠きで成る水抜き孔を設け、灯室に入り込んだ水がレンズの水抜き孔を通って出るように、水抜き対策をされたものがあった。
【０００３】
【発明が解決しようとする課題】
従来の水抜き技術の場合、レンズの水抜き孔が外からレンズを通して汚れや傷の如く見え、見栄えが悪くなっていた。
また、レンズの水抜き孔からの水が、バルブハウジングにおける係合溝の外周壁部分の前端と、レンズの下端部との間隙から抜け出るものの場合、その間隙は灯具の前端近くに位置することから、洗車時など高圧水がかかった際、その間隙から浸水しやすく、水抜き手段のために返って水が入り込むことがあった。
本発明の目的は、見栄えをよくしながら、かつ、浸水を回避しやすくしながら水抜きできる車両用灯具の水抜き構造を提供することにある。
【０００４】
【課題を解決するための手段】
［Ｉ］
請求項１に係る発明によると、冒頭に記した車両用灯具において、係合溝に前記深溝部を設け、パッキンに前記排水孔を設け、バルブハウジングに前記水抜き孔を設けてあるものだから、灯室に入り込んだ水が、レンズの脚部の上側からパッキンの排水孔を通って深溝部の前記底側溝部分に入り込み、この底側溝部分からバルブハウジングの水抜き孔を通って外部に抜け出る。これにより、レンズに水抜き孔を設けることなく、かつ、バルブハウジングの水抜き孔をパッキンよりも奥側に位置させながら水抜きができる。
【０００５】
［ＩＩ］
請求項１に係る発明によると、深溝部に前記リブを設け、リブに前記流水孔を設けてあるとともに、この流水孔はバルブハウジングの水抜き孔に対して係合溝の長手方向に位置ずれしているという構成を有するものだから、パッキンの排水孔からの水は深溝部の前記上側溝部分と、リブの流水孔とを通って深溝部の前記下側溝部分に入り、この下側溝部分において、係合溝の長手方向に流動してバルブハウジングの水抜き孔に至ってハウジングの外部に抜け出る。つまり、この水抜き流路は、ハウジング外の水がその水抜き孔から深溝部の下側溝部分に入り込むことがあっても、この下側溝部分を侵入方向から係合溝の長手方向に沿う方向に向き変化して流動してリブの流水孔を通り抜けない限りは、深溝部の上側溝部分に入り込むことができないという、屈曲流路になる。すなわち、ハウジングの水抜き孔から下側溝部分に浸水することがあっても、その勢いが下側溝部分で低下して上側溝部分までは入り込みにくいラビリンス状態の流路になる。
【０００６】
［ＩＩＩ］
請求項２に係る発明は、請求項１に係る発明が有する構成に加え、リブの流水孔がパッキンの排水孔に対して係合溝の長手方向に位置ずれしているという構成を有するものだから、パッキンの排水孔からの水は深溝部の前記上側溝部分に入り、この上側溝部分において、係合溝の長手方向に流動してリブの流水孔に至って深溝部の前記下側溝部分に入り、この下側溝部分において、係合溝の長手方向に流動してバルブハウジングの水抜き孔に至ってハウジングの外部に抜け出る。つまり、この水抜き流路は、ハウジング外の水がその水抜き孔から深溝部の下側溝部分に入り込むことがあっても、この下側溝部分を侵入方向から係合溝の長手方向に沿う方向に向き変化して流動してリブの流水孔を通り抜けない限りは深溝部の上側溝部分に入り込むことができず、また、この上側溝部分に入り込むことがあっても、この上側溝部分を侵入方向から係合溝の長手方向に沿う方向に向き変化して流動してパッキンの排水孔を通り抜けない限りは、深溝部分のパッキンよりも灯室側まで入り込むことができないという、屈曲流路になる。すなわち、ハウジングの水抜き孔から下側溝部分に浸水することがあっても、その勢いが下側溝部分で低下して上側溝部分に入り込みにくくなり、さらに、この上側部分まで浸水することがあっても、その勢いが上側溝部分で低下して灯室側までは入りこみにくいラビリンス状態の流路になる。
【０００７】
【発明の実施の形態】
図１に示すように、正面視で横長の灯室２、この灯室２の奥側に位置するバルブ取付け孔３、灯室２の開口の外周囲に開口の全周にわたって位置する係合溝４を備える樹脂製のバルブハウジング１と、このバルブハウジング１の灯室２の開口に相似した形状の貫通孔１１を備えるスポンジ製のパッキン１０と、バルブハウジング１と同一の正面視形状を備える樹脂製のレンズ２０とにより、乗用車用の灯具を構成してある。この灯具は、図２、図３、図４に示す如く前記バルブ取付け孔３に着脱自在なバルブホルダー５を介してバルブ取り付け孔３にバルブ６を取付け、レンズ２０の横一端側に位置する組付けフック２１と、レンズ２０などの他端側に作用する取付けねじ３０とによってバルブハウジング１とパッキン１０とレンズ２０とを所定の組み合わせ状態に連結し、この状態でフロントバンパー３１の組付け孔３２に装着することによって乗用車のフロントターンランプ装置を構成するものである。
【０００８】
すなわち、図２、図３、図４に示すように、レンズ２０の内面側の周縁部に、これの全周囲にわたって突出する環状の脚部２２をレンズ２０の成型の際に同時に成型してある。バルブハウジング１の前記灯室２の外側にバルブハウジング１を成型する際に同時に成型してある前記係合溝４に前記パッキン１０が入り込み、レンズ２０の前記脚部２２が前記係合溝４にパッキン１０の上から入り込む状態にバルブハウジング１とパッキン１０とレンズ２０とを組み合わせる。レンズ２０の横一端側に前記脚部２２から外向きに突出する状態にして一体成型してある前記組付けフック２１を、バルブハウジング１の前記係合溝４を形成している外壁部７に設けてある取付け孔に入り込ませてその外壁部７に係合させることによって発生する締め付け力と、レンズ２０の前記組付けフック２１が位置する側とは反対側の端部に設けてあるねじ孔２３と、パッキン１０に設けてあるねじ孔１２と、バルブハウジング１の灯室２の横一端側の外側に設けてあるねじ孔８との各ねじ孔を挿通させた前記取付けねじ３０をフロントバンパー３１の連結部３３に螺着させることによって発生する締め付け力とによって、バルブハウジング１とパッキン１０とレンズ２０とを前記した組み合わせ状態で締め付け連結するようにしてある。これにより、前記した如く組み合わせ連結した使用状態では、レンズ２０の前記脚部２２が、組付けフック２１と取付けねじ３０とによる締め付け力のためにパッキン１０の一側面に圧接されてこのパッキン１０を係合溝４の底面に圧接し、これによって、レンズ２０とバルブハウジング１との間のシールが行われる。
【０００９】
バルブハウジング１の裏面側の一端部に一体成型してある取付け係止体９を、バンパー３１の取付け孔３４に入り込ませて係合させ、前記取付けねじ３０をバンパー３１の前記連結部３３に螺着させることによって、フロントバンパー３１の組付け孔３２の内部に固定するようにしてある。
【００１０】
図２に示すように、灯具の下辺部の横一端側に、灯室２に入り込んだ水を自然流動によってバルブハウジング１の下部に位置する水抜き孔４０から排出する水抜き構造を設けてある。この水抜き構造は、詳しくは、図５、図６などに示すように、バルブハウジング１の前記係合溝４の一部分の底４ａが他の部分の底４ｂよりもバルブハウジング１の後側に位置する状態に係合溝４を形成することによって、係合溝４の一部分に他の部分よりも深くなるようにして設けた深溝部４１と、この深溝部４１の底側にバルブハウジング１を成型する際に同時に成型したリブ４２と、このリブ４２の係合溝４の長手方向での中間部に切欠きを形成することによって設けた流水孔４３と、バルブハウジング１の前記係合溝４を形成している外壁部７のうちの前記深溝部４１を形成している部分に貫通孔を形成することによって設けた前記水抜き孔４０と、前記パッキン１０に切欠きを形成することによって設けた排水孔４４とによって構成してある。
【００１１】
図５、図６などに示すように、前記リブ４２は、係合溝４の深溝部４１以外の溝部分における底４ｂと同一またはほぼ同一の深さの位置に在る端面４２ａによってパッキン１０の前記排水孔４４よりも下側に位置する側面部分を受け止めてレンズ２０の脚部２２と、リブ４２との間のシールを行うように、かつ、前記深溝部４１のパッキン１０よりも底側に位置する底側溝部分４１ａをパッキン１０の排水孔４４に連通する上側溝部分４１ｂと、バルブハウジング１の水抜き孔４０に連通する下側溝部分４１ｃとに区画するように形成してある。
【００１２】
図６に示すように、パッキン１０の前記排水孔４４は、レンズ２０の脚部２２よりも上側において深溝部４１のパッキン１０よりもレンズ側に位置するレンズ側溝部分４１ｄと、パッキン１０よりも底側に位置する前記底側溝部分４１ａにおける前記上側溝部分４１ｂとを連通させて、レンズ２０の脚部上の水をレンズ側溝部分４１ｄから上側溝部分４１ｂに排水させるように形成してある。
【００１３】
図５、図７などに示すように、リブ４２の前記流水孔４３は、パッキン１０の排水孔４４に対しても、バルブハウジング１の水抜き孔４０に対しても係合溝４の長手方向に沿う方向で、かつ、同一の方向に位置ずれするように配置にしてあり、そして、深溝部４１における前記上側溝部分４１ｂと下側溝部分４１ｃとを連通させて、上側溝部分４１ｂに流入した水を下側溝部分４１ｃに排水させるように形成してある。
【００１４】
図６などに示すように、バルブハウジング１の水抜き孔４０は、深溝部４１を形成している外壁部７のパッキン１０よりも深溝部４１の底側に位置する部分に配置してある。
【００１５】
これにより、この水抜き構造にあっては、図５（ロ）に示すように、灯室２に入り込んだ水が次の如くハウジング外に抜け出ていく。すなわち、灯室２に入り込んだ水は灯室２の開口からレンズ２０の脚部２２の上側に流下してこの脚部２２の上側を灯具後方向きに流れ、パッキン１０の排水孔４４から深溝部４１におけるリブ４２上の前記上側溝部分４１ｂのリブ流水孔４３から係合溝４の長手方向に位置ずれした部分に入り込む。そして、この上側溝部分４１ｂからリブ４２の流水孔４３を通って深溝部４１におけるリブ４２下側の前記下側溝部分４１ｃに流下し、この下側溝部分４１ｃのうちのリブ排水孔４３に対して係合溝４の長手方向に位置ずれしている部位で水抜き孔４０からパッキン１０よりもバルブハウジング後方側でハウジング１の外側に流れ出る。
【００１６】
【００１７】
【００１８】
図８（イ）、（ロ）は、別の実施形態を備える水抜き構造を示し、この水抜き構造にあっては、係合溝４における図５などの深溝部４１と同様の深溝部４１と、この深溝部４１の底側に設けたリブ４２と、このリブ４２の係合溝４の長手方向での中間部に設けた流水孔４３と、バルブハウジング１の係合溝４を形成している外壁部７のうちの深溝部４１を形成している部分に設けた水抜き孔４０と、パッキン１０に設けた排水孔４４とによって構成してある。
【００１９】
前記リブ４２は、図６などのリブ４２の端面４２ａと同様の端面４２ａによってパッキン１０の排水孔４４よりも下側に位置する側面部分を受け止めてレンズ２０の脚部２２と、リブ４２との間のシールを行うように、かつ、深溝部４１のパッキン１０よりも底側に位置する底側溝部分４１ａをパッキン１０の排水孔４４に連通する上側溝部分４１ｂと、バルブハウジング１の水抜き孔４０に連通する下側溝部分４１ｃとに区画するように形成してある。
【００２０】
パッキン１０の前記排水孔４４は、レンズ２０の脚部２２よりも上側において深溝部４１のパッキン１０よりもレンズ側に位置するレンズ側溝部分４１ｄと、パッキン１０よりも底側に位置する前記底側溝部分４１ａにおける前記上側溝部分４１ｂとを連通させて、レンズ２０の脚部上の水をレンズ側溝部分４１ｄから上側溝部分４１ｂに排水させるように形成してある。
【００２１】
リブ４２の流水孔４３は、パッキン１０の排水孔４４に対しては係合溝４の長手方向での同一の位置に在るように、かつ、バルブハウジング１の水抜き孔４０に対しては係合溝４の長手方向に沿う方向に位置ずれするように配置にしてあり、そして、深溝部４１における前記上側溝部分４１ｂと下側溝部分４１ｃとを連通させて、上側溝部分４１ｂに流入した水を下側溝部分４１ｃに排水させるように形成してある。
【００２２】
本発明は、フロントターンランプ装置の他、リヤターンランプ装置を構成する灯具、ターンランプ装置以外の車幅灯、駐車灯、後進灯など各種のランプ装置を構成する灯具にも採用できる。また、乗用車以外の運搬車など各種の車両に装備されるものにも適用できる。したがって、これらの各種の灯具を総称して車両用灯具と呼称する。
【００２３】
【発明の効果】
請求項１に係る発明によると、レンズには水抜き孔が無くて見栄えがよいように、さらには、バルブハウジングの水抜き孔がパッキンよりも奥側に位置して洗車水などが入り込みにくいように商品価値の高い状態に得られる。
【００２４】
請求項１に係る発明によると、ハウジングの水抜き孔から水が入り込むことがあっても水抜き流路のラビリンスでその流路を奥まで入り込んでいく勢力が弱まり、高圧水がかかっても灯室までは入り込みにくいように浸水防止性能がより高いものになる。
【００２５】
請求項２に係る発明によると、請求項１に係る発明と同様にハウジングの水抜き孔にはその位置から水が入り込みにくく、さらには、その水抜き孔から水が入り込むことがあっても水抜き流路の深溝部における前記下側溝部分と上側溝部分との両部分でのラビリンスでその流路を奥まで入り込んでいく勢力が弱まり、高圧水がかかっても灯室までは入り込みにくいように浸水防止性能がより一層高いものになる。
【図面の簡単な説明】
【図１】  灯具の分解状態での斜視図
【図２】  灯具の組付け状態での正面図
【図３】  図２のＡ−Ａ断面矢視図
【図４】  図２のＢ−Ｂ断面矢視図
【図５】  水抜き構造の斜視図
【図６】  図２のＣ−Ｃ断面矢視図
【図７】  図２のＤ−Ｄ断面矢視図
【図８】（イ）は、別の実施形態を備える水抜き構造の斜視図、（ロ）は、その正面図
【符号の説明】
１      バルブハウジング
２      灯室
４      係合溝
１０      パッキン
２０      レンズ
２２      脚部
４０      水抜き孔
４１      深溝部
４１ａ    底側溝部分
４１ｂ    上側溝部分
４１ｃ    下側溝部分
４１ｄ    レンズ側溝部分
４２      リブ
４３      流水孔
４４      排水孔
【図１】
0003648426.tif 000002
【図２】
0003648426.tif 000003
【図３】
0003648426.tif 000004
【図４】
0003648426.tif 000005
【図５】
0003648426.tif 000006
【図６】
0003648426.tif 000007
【図７】
0003648426.tif 000008
【図８】
0003648426.tif 000009